(57)【要約】【課題】筐体を開けることなく簡単かつ迅速にアンテナの交換を行うと共に、アンテナを確実に筐体に固定する。【解決手段】下部筐体の下部リアカバー２６の内部側に形成された嵌合孔部２６ｂに、インサート金具３７を嵌め込んで配置し、アンテナ１５のサポート金具３５を下部リアカバー２６の外部側に形成された嵌合孔部２６ａに嵌め込んで配置し、雄ねじ部材３９を凹部３３ａ内に挿入し、専用ドライバを用いて、サポート金具３５の雌ねじ部３５ａに螺合させ、さらに、インサート金具３７の雌ねじ部３７ａに螺合させることによって、アンテナ１５が下部筐体１２に固定される。【選択図】図１
2006025334.tif 000002
【特許請求の範囲】
【請求項１】
アンテナが、電子機器の筐体に取り付けられている電子機器のアンテナ取付構造であって、
前記アンテナは、アンテナ素子が内蔵されたアンテナ本体部と、該アンテナ本体部の後端部に設けられ、内部にアンテナ側雌ねじ部が貫通状態で螺設された取付軸部とを有し、
前記筐体には、外部側に前記取付軸部の少なくとも後端部が嵌め込まれる軸部嵌合凹部が形成され、
前記アンテナ本体部には、前記アンテナ側雌ねじ部に連通し、該アンテナ側雌ねじ部と螺合する雄ねじ部材が挿通される挿通孔が形成され、
前記軸部嵌合凹部に前記取付軸部の少なくとも後端部が嵌め込まれ、前記雄ねじ部材が、前記アンテナ側雌ねじ部と螺合し、かつ、前記筐体を貫通した状態で該筐体に固定されることによって、前記アンテナが前記筐体に取り付けられている
ことを特徴とする電子機器のアンテナ取付構造。
【請求項２】
前記アンテナは、前記アンテナ本体部の少なくとも一部を覆って保護する本体カバー部を有し、
前記本体カバー部は、前記挿通孔に挿入され、前記雄ねじ部材の頭部を押える突起部を有し、
前記軸部嵌合孔部に前記取付軸部の少なくとも後端部が嵌め込まれ、前記雄ねじ部材が、前記アンテナ側雌ねじ部と螺合し、前記突起部によって、前記頭部を押えられ、かつ、前記筐体を貫通した状態で該筐体に固定されることによって、前記アンテナが前記筐体に取り付けられている
ことを特徴とする請求項１記載の電子機器のアンテナ取付構造。
【請求項３】
前記筐体には、内部側に前記軸部嵌合凹部に連通して、前記雄ねじ部材に螺合する筐体側雌ねじ部が内部に形成された取付補助部材の少なくとも前端部が嵌め込まれる部材嵌合凹部が、前記アンテナ側雌ねじ部と前記筐体側雌ねじ部との軸心が一致するように形成され、
前記軸部嵌合孔部に前記取付軸部の少なくとも後端部が嵌め込まれ、前記部材嵌合孔部に前記取付補助部材の少なくとも前端部が嵌め込まれ、前記雄ねじ部材が、前記アンテナ側雌ねじ部及び前記筐体側雌ねじ部と螺合している
ことを特徴とする請求項１又は２記載の電子機器のアンテナ取付構造。
【請求項４】
前記筐体には、内部側に前記アンテナ側雌ねじ部に連通して、前記雄ねじ部材に螺合する筐体側雌ねじ部が、その軸心が前記アンテナ側雌ねじ部の軸心と一致するように形成され、前記雄ねじ部材が、前記アンテナ側雌ねじ部及び前記筐体側雌ねじ部と螺合している
ことを特徴とする請求項１又は２記載の電子機器のアンテナ取付構造。
【請求項５】
前記雄ねじ部材の前記頭部には、前記雄ねじ部材を軸の周りに回転させるための専用工具の先端の形状に対応した所定の形状の嵌合溝が形成されていることを特徴とする請求項１乃至４のいずれか１に記載の電子機器のアンテナ取付構造。
【請求項６】
前記嵌合溝は、少なくともマイナスドライバ、プラスドライバ、及び六角レンチの先端に嵌合しない形状又は配置状態とされていることを特徴とする請求項５記載の電子機器のアンテナ取付構造。
【請求項７】
前記嵌合溝は、Ｙ字状溝、大の字状溝、Ｘ字状溝、又は軸の周りに等角度間隔で配置された複数の小穴状凹部からなっていることを特徴とする請求項６記載の電子機器のアンテナ取付構造。
【請求項８】
前記本体カバー部は、壁面に所定の模様が施され、又は彩色された複数の本体カバー部のなかから選択されて用いられることを特徴とする請求項２乃至７のいずれか１に記載の電子機器のアンテナ取付構造。
【請求項９】
前記本体カバー部は、所定の外観形状を有する複数の本体カバー部のなかから選択されて用いられることを特徴とする請求項２乃至８のいずれか１に記載の電子機器のアンテナ取付構造。
【請求項１０】
前記雄ねじ部材は、その後端部が前記筐体の内部側に突出した状態で配置されていることを特徴とする請求項１乃至９のいずれか１に記載の電子機器のアンテナ取付構造。
【請求項１１】
前記取付軸部及び前記雄ねじ部材は導電性部材からなり、前記取付軸部は、前記アンテナ素子に電気的に接続され、かつ、前記雄ねじ部材は、給電金具を介して、前記筐体内に実装された基板の所定の部位に形成された接点に電気的に接続されることによって、前記アンテナ素子は、給電可能とされていることを特徴とする請求項１乃至１０のいずれか１に記載の電子機器のアンテナ取付構造。
【請求項１２】
前記アンテナ本体部の前記挿通孔内に前記専用工具の先端部を挿入して、その先端を前記雄ねじ部材の前記頭部の前記嵌合溝に嵌合させて、前記雄ねじ部材を回転させて、前記アンテナ側雌ねじ部及び前記筐体から引く抜くことによって、前記アンテナと前記筐体との結合を解き、前記アンテナの前記筐体からの取外しが可能とされていることを特徴とする請求項５乃至１１のいずれか１に記載の電子機器のアンテナ取付構造。
【請求項１３】
前記アンテナを前記筐体からの取り外した後、取り外した又は別の前記アンテナの前記取付軸部を前記軸部嵌合凹部に嵌め込み、前記アンテナ本体部の前記挿通孔内に前記雄ねじ部材を挿入し、前記挿通孔内に前記専用工具の先端部を挿入して、その先端を前記雄ねじ部材の前記頭部の前記嵌合溝に嵌合させて、前記雄ねじ部材を回転させて、前記アンテナ側雌ねじ部及び前記筐体にねじ込むことによって、前記アンテナと前記筐体とを結合させることが可能とされていることを特徴とする請求項１２記載の電子機器のアンテナ取付構造。
【請求項１４】
前記アンテナ素子は、ヘリカルアンテナ素子であることを特徴とする請求項１乃至１３のいずれか１に記載の電子機器のアンテナ取付構造。
【請求項１５】
請求項１乃至１４のいずれか１に記載の電子機器のアンテナ取付構造を備えたことを特徴とする電子機器。
【発明の詳細な説明】
【技術分野】
【０００１】
この発明は、電子機器のアンテナ取付構造及び該構造を備えた電子機器に係り、携帯電話機等の電子機器の筐体に、例えば固定式のアンテナが取り付けられたアンテナ取付構造及び該構造を備えた電子機器に関する。
【背景技術】
【０００２】
従来より、携帯電話機等の無線通信機能を有する電子機器においては、アンテナとして、伸縮収納機能を持つロッドアンテナも用いられているが、最近は、携帯電話機の小型化、薄型化に伴って、構成部品の実装スペースが限られてきているので、伸張機能のない固定式のアンテナが主として用いられるようになってきている。
すなわち、伸縮収納機能を持つアンテナの場合には、収納状態で、伸張時に用いるストレートエレメントを筐体内に格納する必要があり、このため、他の構成部品の収納スペースが制限されるので、携帯電話機等では、固定式のアンテナを用いる例が増えている。
この固定式のアンテナ１０１は、図１０に示すように、ヘリカルアンテナ素子１０２ａが格納されたコイル部１０２と、コイル部１０２を保護するキャップ部１０３と、筐体１０５に取り付けられる軸部１０４と有している。
【０００３】
アンテナ１０１は、軸部１０４が筐体１０５の上端部に形成された挿通孔１０５ａから筐体１０５内に挿通され、軸部１０４に形成された環状溝１０４ａに金属製のＥリング１０６が嵌着されることによって、筐体１０５に固定され、このＥリング１０６が筐体１０５の内壁の挿通孔１０５ａの縁部に当接して、アンテナ１０１を軸部１０４の軸方向に沿って引く抜こうとする力に抗して、アンテナ１０１の軸方向に沿った変位を制止している。
このＥリング１０６は、アンテナ１０１の軸部１０４を挿通孔１０５ａから筐体１０５内に挿通した後、専用の取着治具を用いて把持され、アンテナ１０１の軸部１０４に形成された環状溝１０４ａに圧入される。Ｅリング１０６は、軸部１０４の周面を中心（軸）に向けて押圧した状態で軸部１０４に固着される。
【０００４】
しかしながら、筐体の内部側でアンテナを固定しているために、アンテナの破損等のた、めにアンテナを交換する必要がある場合には、ねじ等の固定具を取り外して筐体を開けて、さらに、アンテナを固定するＥリングを取り外す必要があるので、手間と時間がかかるという問題がある。
また、筐体を開けた際に、作業者が交換作業中に誤って、露出した基板に触れてしまったり、基板を水に濡らしてしまったり、また、組立時に異物を混入させてしまう可能性があり、アンテナの交換作業によって、不具合の原因を作ってしまうという問題もある。
また、一旦、軸部に圧入したＥリングは、容易には取り外すことができないという問題もある。
このため、アンテナを、外部側からねじ込むことによって、保持金具を介して筐体に取り付けて、筐体を開けることなくアンテナの交換が可能なようにする技術が提案されている（例えば、特許文献１、特許文献２参照。）。なお、キャップ部をコイル部（アンテナ本体部）着脱可能とする技術も提案されている（例えば、特許文献３参照。）。
【特許文献１】特開２０００−１１４８３６号公報
【特許文献２】特開平１１−２３４０１６号公報（図２０）
【特許文献３】登録実用新案第３０６３１０７号公報
【発明の開示】
【発明が解決しようとする課題】
【０００５】
解決しようとする問題点は、上記従来技術では、筐体を開けることなく簡単にアンテナを交換することができるものの、例えば、ユーザが、不用意に不充分な機能のアンテナと交換してしまったり、また、悪意を持つ者のいたずらによって、ユーザの知らぬ間に取り外されたり、交換されたりすることがあり、所定の通信機能を失ってしまう虞があるという点である。
また、筐体を開けることなく簡単にアンテナを交換することができるものの、例えば、ねじ等の緩みで脱落して紛失し、通信機能を失ってしまう虞があるという点である。
【０００６】
この発明は、上述の事情に鑑みてなされたもので、筐体を開けることなく簡単かつ迅速にアンテナの交換を行うことができると共に、例えば、ユーザが、不充分な機能のアンテナと交換してしまったり、また、悪意を持つ者のいたずらによって、ユーザの知らぬ間にアンテナを取り外されたり、ダミーと交換されたりすることを防止することができ、高い安全性を確保することができる電子機器のアンテナ取付構造及び該構造を備えた電子機器を提供することを第１の目的としている。
また、筐体を開けることなく簡単かつ迅速にアンテナの交換を行うことができると共に、交換の必要がない通常の使用時には、簡単に脱落したりせずに、アンテナを確実に筐体に固定することができる電子機器のアンテナ取付構造及び該構造を備えた電子機器を提供することを第２の目的としている。
【課題を解決するための手段】
【０００７】
上記課題を解決するために、請求項１記載の発明は、アンテナが、電子機器の筐体に取り付けられている電子機器のアンテナ取付構造に係り、上記アンテナは、アンテナ素子が内蔵されたアンテナ本体部と、該アンテナ本体部の後端部に設けられ、内部にアンテナ側雌ねじ部が貫通状態で螺設された取付軸部とを有し、上記筐体には、外部側に上記取付軸部の少なくとも後端部が嵌め込まれる軸部嵌合凹部が形成され、上記アンテナ本体部には、上記アンテナ側雌ねじ部に連通し、該アンテナ側雌ねじ部と螺合する雄ねじ部材が挿通される挿通孔が形成され、上記軸部嵌合凹部に上記取付軸部の少なくとも後端部が嵌め込まれ、上記雄ねじ部材が、上記アンテナ側雌ねじ部と螺合し、かつ、上記筐体を貫通した状態で該筐体に固定されることによって、上記アンテナが上記筐体に取り付けられていることを特徴としている。
【０００８】
また、請求項２記載の発明は、請求項１記載の電子機器のアンテナ取付構造に係り、上記アンテナは、上記アンテナ本体部の少なくとも一部を覆って保護する本体カバー部を有し、上記本体カバー部は、上記挿通孔に挿入され、上記雄ねじ部材の頭部を押える突起部を有し、上記軸部嵌合孔部に上記取付軸部の少なくとも後端部が嵌め込まれ、上記雄ねじ部材が、上記アンテナ側雌ねじ部と螺合し、上記突起部によって、上記頭部を押えられ、かつ、上記筐体を貫通した状態で該筐体に固定されることによって、上記アンテナが上記筐体に取り付けられていることを特徴としている。
【０００９】
また、請求項３記載の発明は、請求項１又は２記載の電子機器のアンテナ取付構造に係り、記筐体には、内部側に上記軸部嵌合凹部に連通して、上記雄ねじ部材に螺合する筐体側雌ねじ部が内部に形成された取付補助部材の少なくとも前端部が嵌め込まれる部材嵌合凹部が、上記アンテナ側雌ねじ部と上記筐体側雌ねじ部との軸心が一致するように形成され、上記軸部嵌合孔部に上記取付軸部の少なくとも後端部が嵌め込まれ、上記部材嵌合孔部に上記取付補助部材の少なくとも前端部が嵌め込まれ、上記雄ねじ部材が、上記アンテナ側雌ねじ部及び上記筐体側雌ねじ部と螺合していることを特徴としている。
【００１０】
また、請求項４記載の発明は、請求項１又は２記載の電子機器のアンテナ取付構造に係り、上記筐体には、内部側に上記アンテナ側雌ねじ部に連通して、上記雄ねじ部材に螺合する筐体側雌ねじ部が、その軸心が上記アンテナ側雌ねじ部の軸心と一致するように形成され、上記雄ねじ部材が、上記アンテナ側雌ねじ部及び上記筐体側雌ねじ部と螺合していることを特徴としている。
【００１１】
また、請求項５記載の発明は、請求項１乃至４のいずれか１に記載の電子機器のアンテナ取付構造に係り、上記雄ねじ部材の上記頭部には、上記雄ねじ部材を軸の周りに回転させるための専用工具の先端の形状に対応した所定の形状の嵌合溝が形成されていることを特徴としている。
【００１２】
また、請求項６記載の発明は、請求項５記載の電子機器のアンテナ取付構造に係り、上記嵌合溝は、少なくともマイナスドライバ、プラスドライバ、及び六角レンチの先端に嵌合しない形状又は配置状態とされていることを特徴としている。
【００１３】
また、請求項７記載の発明は、請求項６記載の電子機器のアンテナ取付構造に係り、上記嵌合溝は、Ｙ字状溝、大の字状溝、Ｘ字状溝、又は軸の周りに等角度間隔で配置された複数の小穴状凹部からなっていることを特徴としている。
【００１４】
また、請求項８記載の発明は、請求項２乃至７のいずれか１に記載の電子機器のアンテナ取付構造に係り、上記本体カバー部は、壁面に所定の模様が施され、又は彩色された複数の本体カバー部のなかから選択されて用いられることを特徴としている。
【００１５】
また、請求項９記載の発明は、請求項２乃至８のいずれか１に記載の電子機器のアンテナ取付構造に係り、上記本体カバー部は、所定の外観形状を有する複数の本体カバー部のなかから選択されて用いられることを特徴としている。
【００１６】
また、請求項１０記載の発明は、請求項１乃至９のいずれか１に記載の電子機器のアンテナ取付構造に係り、上記雄ねじ部材は、その後端部が上記筐体の内部側に突出した状態で配置されていることを特徴としている。
【００１７】
また、請求項１１記載の発明は、請求項１乃至１０のいずれか１に記載の電子機器のアンテナ取付構造に係り、上記取付軸部及び上記雄ねじ部材は導電性部材からなり、上記取付軸部は、上記アンテナ素子に電気的に接続され、かつ、上記雄ねじ部材は、給電金具を介して、上記筐体内に実装された基板の所定の部位に形成された接点に電気的に接続されることによって、上記アンテナ素子は、給電可能とされていることを特徴としている。
【００１８】
また、請求項１２記載の発明は、請求項５乃至１１のいずれか１に記載の電子機器のアンテナ取付構造に係り、上記アンテナ本体部の上記挿通孔内に上記専用工具の先端部を挿入して、その先端を上記雄ねじ部材の上記頭部の上記嵌合溝に嵌合させて、上記雄ねじ部材を回転させて、上記アンテナ側雌ねじ部及び上記筐体から引く抜くことによって、上記アンテナと上記筐体との結合を解き、上記アンテナの上記筐体からの取外しが可能とされていることを特徴としている。
【００１９】
また、請求項１３記載の発明は、請求項１２記載の電子機器のアンテナ取付構造に係り、上記アンテナを上記筐体からの取り外した後、取り外した又は別の上記アンテナの上記取付軸部を上記軸部嵌合凹部に嵌め込み、上記アンテナ本体部の上記挿通孔内に上記雄ねじ部材を挿入し、上記挿通孔内に上記専用工具の先端部を挿入して、その先端を上記雄ねじ部材の上記頭部の上記嵌合溝に嵌合させて、上記雄ねじ部材を回転させて、上記アンテナ側雌ねじ部及び上記筐体にねじ込むことによって、上記アンテナと上記筐体とを結合させることが可能とされていることを特徴としている。
【００２０】
また、請求項１４記載の発明は、請求項１乃至１３のいずれか１に記載の電子機器のアンテナ取付構造に係り、上記アンテナ素子は、ヘリカルアンテナ素子であることを特徴としている。
【００２１】
また、請求項１５記載の発明に係る電子機器は、請求項１乃至１４のいずれか１に記載の電子機器のアンテナ取付構造を備えたことを特徴としている。
【発明の効果】
【００２２】
この発明の構成によれば、アンテナ本体部の挿通孔内に専用工具を挿入して、雄ねじ部材を回転させて、アンテナ側雌ねじ部及び筐体から引く抜いて、アンテナを筐体からの取り外し、アンテナの取付軸部を軸部嵌合凹部に嵌め込み、アンテナ本体部の挿通孔内に雄ねじ部材を挿入し、挿通孔内に専用工具を挿入して、雄ねじ部材を回転させて、アンテナ側雌ねじ部及び筐体にねじ込んで、アンテナと筐体とを結合させることができるので、筐体を開けることなく簡単かつ迅速にアンテナの交換を行うことができる。
また、雄ねじ部材は、アンテナ本体部の挿通孔内に埋め込まれているので、例えば、ユーザが、不充分な機能のアンテナと交換してしまったり、また、悪意を持つ者のいたずらによって、ユーザの知らぬ間にアンテナを取り外されたり、ダミーと交換されたりすることを防止することができ、高い安全性を確保することができる。
【００２３】
また、本体カバー部が、アンテナ本体部挿通孔を覆うことによって、雄ねじ部材を隠すことができ、雄ねじ部材の不正な取り外しを防止し、一段と高い安全性を確保することができる。
また、雄ねじ部材として、頭部に、雄ねじ部材を軸の周りに回転させるための専用工具の先端の形状に対応した所定の形状の嵌合溝が形成されているものを用いることによって、雄ねじ部材の不正な取り外しを確実に防止し、さらに一段と高い安全性を確保することができる。
【００２４】
また、本体カバー部の突起部が雄ねじ部材の頭部を押えることによって、雄ねじ部材の緩みを防止して、交換の必要がない通常の使用時には、簡単に脱落したりせずに、アンテナを確実に筐体に固定することができる。
【発明を実施するための最良の形態】
【００２５】
アンテナ本体部の挿通孔内に専用工具を挿入して、雄ねじ部材を回転させて、アンテナ側雌ねじ部及び筐体から引く抜いて、アンテナを筐体からの取り外し、アンテナの取付軸部を軸部嵌合凹部に嵌め込み、アンテナ本体部の挿通孔内に雄ねじ部材を挿入し、挿通孔内に専用工具を挿入して、雄ねじ部材を回転させて、アンテナ側雌ねじ部及び筐体にねじ込んで、アンテナと筐体とを結合させることによって、筐体を開けることなく簡単かつ迅速にアンテナの交換を行い、また、雄ねじ部材が、アンテナ本体部の挿通孔内に埋め込まれていることによって、例えば、ユーザが、不充分な機能のアンテナと交換してしまったり、また、悪意を持つ者のいたずらによって、ユーザの知らぬ間にアンテナを取り外されたり、ダミーと交換されたりすることを防止し、高い安全性を確保するという第１の目的を実現した。
【００２６】
また、筐体を開けることなく簡単かつ迅速にアンテナの交換を行うことができると共に、本体カバー部の突起部が雄ねじ部材の頭部を押えることによって、雄ねじ部材の緩みを防止して、交換の必要がない通常の使用時には、簡単に脱落したりせずに、アンテナを確実に筐体に固定するという第２の目的を実現した。
【実施例１】
【００２７】
図１は、この発明の第１実施例である携帯電話機のアンテナ取付構造の構成を説明するための断面図、図２は、同携帯電話機の構成を模式的に示す斜視図、図３は、同携帯電話機の構成を示すブロック図、図４は、同携帯電話機のアンテナの構成を説明するための分解斜視図、図５は、同アンテナの構成を説明するための断面図、図６は、同アンテナのキャップ部の斜視図、また、図７及び図８は、同アンテナを構成する交換用のキャップ部の斜視図である。
【００２８】
この例の携帯電話機１は、折畳可能な筐体を備えると共に、本来の通話機能のほか、例えば電子メールの送受信やインターネットに接続してホームページの閲覧が可能なデータ通信機能を有し、図２及び図３に示すように、上部ユニット２と下部ユニット３とが、折畳可能なようにヒンジ部４で相互に結合されて構成されている。
上部ユニット２は、図２及び図３に示すように、折畳可能な扁平な筐体６を構成する上部筐体７に、折畳時に内側となる側に配設され液晶表示装置を有してなり例えば機能設定画面や待受画面等が表示される表示部８と、受話音声を出力するスピーカを有してなる受話部９と、着信時に着信音を発生するリンガ発生部１１とが実装されて概略構成されている。
【００２９】
下部ユニット３は、図２及び図３に示すように、折畳可能な扁平な筐体６を構成する下部筐体１２に、当該携帯電話機本体の構成各部を制御する制御部１３と、制御部１３が実行する処理プログラムや各種データ等を記憶するための記憶部１４と、下部筐体１２に固定されたアンテナ１５を介して無線電波の送受信を行い、所定のプロトコルに従って通話やデータ通信を行うために用いられる無線通信部１６と、数字や文字の入力操作等を行うための多数の各種操作キー等からなる操作部１７と、送話音声を入力するマイクロフォンを有してなる送話部１８と、バッテリパックを有する電源部１９とが実装されて概略構成されている。
【００３０】
なお、上記筐体６は、ヒンジ部４で相互に結合された上部筐体７と下部筐体１２とからなり、ヒンジ部４は、上部筐体７と下部筐体１２とを回転自在に結合して当該携帯電話機１に折畳可能な構造を付与している。
また、表示部８等を構成する各種電子部品は、上部基板２１上に配置され、各種電子部品が搭載された上部基板２１及び表示部８を構成する光学部品等は、上部筐体７を構成する上部フロントケース２２と上部リアカバー２３とによって、上下両方向から押さえられるようにして、上部筐体７内に格納される。
また、制御部１３、記憶部１４及び無線通信部１６等を構成する各種電子部品は、下部基板２４上に配置され、下部基板２４等は、下部筐体１２を構成する下部フロントケース２５と下部リアカバー２６とによって、上下両方向から押さえられるようにして、下部筐体１２内に格納される。
なお、上部基板２１と下部基板２４とは、ＦＰＣ（Flexible Printed Circuit）を含む上下基板接続部２７によって電気的に接続されている。
【００３１】
表示部８は、上部筐体７の内側の面に配設され例えば透過型の液晶表示装置２８を有してなっている。液晶表示装置２８は、液晶パネルと、液晶パネルに照明光を与えるバックライト装置と、液晶パネルを駆動する駆動回路とを有している。
液晶パネルは、例えばＴＦＴ（Thin Film Transistor）構造の透過型の液晶表示パネルであり、ＴＦＴと透明画素電極とが多数形成されているＴＦＴ基板と、ＴＦＴ基板と数［μm］の間隙を介して対向して固定され、着色層（カラーフィルタ）が形成された対向基板と、上記間隙に封入された液晶層と、ＴＦＴ基板、対向基板の外側に配設された一対の偏向板とを有している。
【００３２】
制御部１３は、ＣＰＵ（中央処理装置）等からなり、記憶部１４に記憶された各種処理プログラムを実行し、記憶部１４に確保された各種レジスタやフラグを用いて、構成各部を制御し各種制御処理を実行する。
記憶部１４は、ＲＯＭ、ＲＡＭ等の半導体メモリからなり、制御部１３が実行する操作制御処理プログラムや、通信制御処理プログラム、表示制御処理プログラム、ホームページを閲覧するためのプログラムとしてのブラウザ、電子メールを作成したり送受信するためのプログラムとしてのメーラ等の各種処理プログラム等をが記憶されたプログラム記憶領域と、各機能の設定情報や通信履歴情報、電話帳情報等の各種情報が記憶された情報記憶領域とを有すると共に、この記憶部１４には、制御部１３がプログラム実行時に用いる各種レジスタやフラグが確保されている。
【００３３】
この例のアンテナ取付構造３１は、図１と、図４乃至図６とに示すように、携帯電話機１の構成部品としてのアンテナ１５のコイル部３３の端部に設けられ、内部に雌ねじ部３５ａが螺設された外形円筒状のサポート金具３５の端部が、下部筐体１２の下部リアカバー２６の上端部の表面側に形成されサポート金具３５の径に略等しい径の嵌合孔部２６ａに嵌め込まれ、内部に雌ねじ部３７ａが螺設されたインサート金具３７が、下部リアカバー２６の上端部の内部側（裏面側）に、インサート金具３７の径に略等しい径を有し、嵌合孔部２６ａに軸心が一致するように連通させて形成された嵌合孔部２６ｂに、雌ねじ部３５ａ，３７ａ同士の軸心が一致するように、嵌め込まれて固定され、サポート金具３５及びインサート金具３７の雌ねじ部３５ａ，３７ａに、雄ねじ部材３９が螺合することによって、サポート金具３５とインサート金具３７とが、雄ねじ部材３９を介して互いに結合し、アンテナ１５が下部筐体１２に固定されて概略構成されている。
【００３４】
インサート金具３７は、給電金具４１を介して、下部基板２４の所定の部位に形成された接点に電気的に接続されている。これによって、ヘリカルアンテナ素子３２は、サポート金具３５、インサート金具３７、雄ねじ部材３９及び給電金具４１を介して下部基板２４に接続され、給電可能とされる。
また、この例の雄ねじ部材３９の頭部３９ａには、雄ねじ部材３９を回転させるための専用ドライバに先端の形状に対応した所定の形状の溝（嵌合溝）が形成されている。この溝は、マイナスドライバや、プラスドライバ、六角レンチ等の先端に嵌合しない形状及び配置状態とされ、例えば、Ｙ字状溝や、大の字状溝、Ｘ字状溝（直交していない溝）、軸の周りに等角度間隔で配置された複数（例えば２つ）の小穴等からなっている。
なお、下部リアカバー２６の表面とコイル部３３（及びキャップ部３４）の下端面とは、例えばＯリング（不図示）を介して接合されている。
【００３５】
この例のアンテナ１５は、ヘリカルアンテナ素子３２が内蔵されたコイル部３３と、コイル部３３を保護するキャップ部３４と、コイル部３３の下端部に設けられ、内部に雌ねじ部３５ａが螺設されたサポート金具３５とを有してなっている。
コイル部３３は、中空形状の容器内にヘリカルアンテナ素子３２が格納され、中央部の凹部３３ａには、雄ねじ部材３９の上部とキャップ部３４の突起部３４ｂが挿入される。
また、この凹部３３ａには、アンテナ交換時には、雄ねじ部材３９と、雄ねじ部材３９を回転させて軸方向に沿ってねじ込むための専用ドライバの先端部が挿入される。
【００３６】
キャップ部３４は、円筒形状のキャップ状の外形を呈し、内部にコイル部３３が収納可能な凹部３４ａを有し、かつ、断面略Ｅ字形とされるように、中央部にコイル部３３の中央部の凹部３３ａに挿入される円柱状の突起部３４ｂを有している。なお、この突起部３４ｂの先端面３４ｓは、雄ねじ部材３９の頭部３９ａを上方から押える機能を有している。
また、キャップ部３４の外壁部には、必要に応じて、意匠上の又は識別のための模様が施されている。図６には、模様無しのキャップ部３４を示す。
また、サポート金具３５は、ヘリカルアンテナ素子３２の下端部と接触し、電気的に接続されている。
【００３７】
無線通信部１６は、ＲＦ回路や、変復調回路、ベースバンド処理回路等からなり、音声やデータを変調してアンテナ１５を介して無線電波として送信すると共に、無線電波をアンテナ１５を介して受信して音声やデータに復調し、所定のプロトコルに従って通話やデータ通信を行うために用いられる。
操作部１７は、下部筐体１２に実装され、例えば合成樹脂製の多数のキーボタンが、例えば合成ゴム製の弾性体からなるシート部材上の所定の位置に接着されてなるキーシートがドーム状に突起しスイッチを構成する金属板接点が絶縁性シートの裏面側に設けられてなるメタルドームシートを介して、各種電子部品が搭載された下部基板上に配置されて構成されている。
【００３８】
携帯電話機本体にアンテナ１５を取り付けるには、まず、下部筐体１２の下部リアカバー２６の上端部の表面側に形成された嵌合孔部２６ｂに、インサート金具３７を嵌め込んで固定する。この状態で、インサート金具３７の側面部には、給電金具４１が弾性的に接触し、インサート金具３７は、給電金具４１を介して下部基板２４に電気的に接続されることとなる。
次に、アンテナ１５からキャップ部３４を外し、サポート金具３５を、下部リアカバー２６の上端部の表面側に形成された嵌合孔部２６ａに嵌め込む。
この状態で、サポート金具３５の雌ねじ部３５ａとインサート金具３７の雌ねじ部３７ａの軸心が一致するように、サポート金具３５がインサート金具３７に対して位置決めされて、コイル部３３及びサポート金具３５が配置される。
【００３９】
次に、コイル部３３の凹部３３ａに、上方から、雄ねじ部材３９を頭部３９ａを上側にして挿入し、専用ドライバを差し入れて、雄ねじ部材３９を時計周りに回転させ、雄ねじ部材３９を、サポート金具３５の雌ねじ部３５ａと螺合させ、さらに、インサート金具３７の雌ねじ部３７ａと螺合させる。
これによって、サポート金具３５は、インサート金具３７及び下部リアカバー２６に対して固定される。
次に、キャップ部３４を突起部３４ｂが凹部３３ａに挿入されるようにコイル部３３に取り付ける。ここで、突起部３４ｂの先端面３４ｓは、雄ねじ部材３９の頭部３９ａを上方から押える。これによって、雄ねじ部材３９の緩みによる脱落が防止される。
こうして、ヘリカルアンテナ素子３２は、サポート金具３５、インサート金具３７、雄ねじ部材３９及び給電金具４１を介して下部基板２４に接続されて、給電可能とされ、アンテナ１５は、下部筐体１２に取り付けられる。
【００４０】
アンテナ１５を取り外すには、まず、キャップ部３４を外してコイル部３３を露出させる。
次に、コイル部３３の凹部３３ａに専用ドライバを差し入れて、雄ねじ部材３９を反時計周りに回転させて、インサート金具３７及びサポート金具３５から引く抜く。
これによって、サポート金具３５は、嵌合孔部２６ａから取出可能となり、コイル部３３及びサポート金具３５を引っ張って、下部筐体１２のリアカバー２６から取り外す。
交換する場合には、新しいアンテナ１５を用意し、アンテナ１５からキャップ部３４を外し、サポート金具３５を、リアカバー２６の上端部の表面側に形成された嵌合孔部２６ａに嵌め込む。
【００４１】
次に、コイル部３３の凹部３３ａに、上方から、雄ねじ部材３９を頭部３９ａを上側にして挿入し、専用ドライバを差し入れて、雄ねじ部材３９を時計周りに回転させ、雄ねじ部材３９を、サポート金具３５の雌ねじ部３５ａと螺合させ、さらに、インサート金具３７の雌ねじ部３７ａと螺合させる。
次に、キャップ部３４を突起部３４ｂが凹部３３ａに挿入されるようにコイル部３３に取り付ける。こうして、新しいアンテナ１５が、下部筐体１２に取り付けられ、交換が完了する。
ここで、例えば、新しいアンテナ１５に交換するためには、キャップ部３４を取り外し、さらに、専用ドライバを用意して、雄ねじ部材３９を回転させる必要があり、例えば、悪意を持つ者のいたずらによって、ユーザの知らぬ間にアンテナを取り外されたり、ダミーと交換されたりすることが防止される。
【００４２】
また、キャップ部３４のほかに、別のキャップ部３４Ａ，３４Ｂ，…が用意されている場合には、用途に応じて、キャップ部３４をコイル部３３から取り外し、キャップ部３４Ａ，３４Ｂを取り付ける。
【００４３】
このように、この例の構成によれば、アンテナ交換時には、外部側からキャップ部３４を取り外し、専用ドライバを用いて雄ねじ部材３９を取り外せばよいので、筐体を開けることなく簡単かつ迅速にアンテナの交換を行うことができる。
また、例えば、新しいアンテナ１５に交換するためには、キャップ部３４を取り外し、さらに、専用ドライバを用意して、雄ねじ部材３９を回転させる必要があるので、例えば、ユーザが、不用意に不充分な機能のアンテナと交換してしまったり、悪意を持つ者のいたずらによって、ユーザの知らぬ間にアンテナを取り外されたり、ダミーと交換されたりすることを防止して、所定の通信機能を失ってしまうことを未然に防止することができる。したがって、高い安全性を確保することができる。
【００４４】
また、キャップ部３４を突起部３４ｂが凹部３３ａに挿入されるようにコイル部３３に取り付けられ、突起部３４ｂの先端面３４ｓは、雄ねじ部材３９の頭部３９ａを上方から押えるので、雄ねじ部材３９の緩みを防止し、アンテナ１５を確実に下部筐体１２に固定することができる。したがって、アンテナ１５の脱落を防止して、通信機能を失ってしまうことを防止することができる。
また、様々なキャップ部を用意して、用途に応じて、キャップ部３４を交換して用いることができる。
【実施例２】
【００４５】
図９は、この発明の第２実施例である携帯電話機のアンテナ取付構造の構成を説明するための断面図である。
この例の携帯電話機のアンテナ取付構造が、上述した実施例１のアンテナ取付構造と大きく異なるところは、雄ねじ部を下部リアカバーに直接タッピングした点である。
これ以外の構成は、上述した実施例１の構成と略同一であるので、その説明を簡略にする。
【００４６】
この例のアンテナ取付構造３１Ａは、図９に示すように、携帯電話機の構成部品としてのアンテナ１５のコイル部３３の端部に設けられ、内部に雌ねじ部３５ａが螺設された外形円筒状のサポート金具３５の端部が、下部筐体１２のリアカバー２６Ａの上端部の表面側に形成されサポート金具３５の径に略等しい径の嵌合孔部２６ａに嵌め込まれ、リアカバー２６の上端部の内部側（裏面側）に、雌ねじ部３５ａと軸心が一致するように雌ねじ部２６ｃが形成され、サポート金具３５の雌ねじ部３５ａ、雌ねじ部２６ｃに、雄ねじ部材３９が螺合することによって、アンテナ１５が下部筐体１２に固定されて概略構成されている。
雄ねじ部材３９は、給電金具４２を介して、下部基板２４の所定の部位に形成された接点に電気的に接続されている。これによって、ヘリカルアンテナ素子３２は、サポート金具３５、雄ねじ部材３９及び給電金具４２を介して下部基板２４に接続され、給電可能とされる。
【００４７】
このように、この例の構成によれば、上述した実施例１と略同一の効果を得ることができる。
加えて、実施例１で用いたサポート金具３５を廃することができるので、必要な部品点数を低減して、コストを低減することができる。
【００４８】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、キャップ部の形状を、円筒形状とする場合について述べたが、球状や、円錐状等の回転体形状としても良いし、非対称な形状としても良い。また、例えば、先端部を球状としても良い。
また、固定式のアンテナに限らず、伸縮収納機能を有するアンテナにも適用することができる。
【００４９】
また、雄ねじ部材は、一端部のみならず、両端部に、専用ドライバで回転させるための溝を形成しておいて、例えば、最初の組立時には、雄ねじ部材を筐体の内部側からねじ込むようにしても良い。
また、キャップ部は、コイル部全体を覆わなくても、上端部のみ覆っても良いし、凹部３３ａ内に例えば鍔付きの円柱状部材を挿入して、雄ねじ部材を隠し、かつ、雄ねじ部材を上方から押える機能のみを持たせるようにしても良い。また、単に、凹部３３ａの入り口を塞ぐのみとしても良い。
また、少なくとも凹部３３ａの入り口が塞がれていれば、雄ねじ部材として、専用ドライバ以外のマイナスドライバや、プラスドライバ、六角レンチ等で回転可能なねじを用いても良い。
【００５０】
また、キャップ部３４をコイル部３３に嵌着する場合について述べたが、ねじ込むように構成しても良い。また、キャップ部を下部リアカバー２６にねじ込むようにして、突起部３４ｂが雄ねじ部材３９を一段と確実に押えるように構成しても良い。
また、インサート金具３７を下部リアカバー２６に嵌め込んで固定する場合について述べたが、ねじ込んで固定するようにしても良い。
また、キャップ部３４の配置を省略し、例えば、コイル部３３の凹部３３ａの内壁と雄ねじ部材３９の頭部３９ａとを同色として、雄ねじ部材３９が目立たないようにしても良い。
また、例えば、実施例１では、コイル部３３に凹部３３ａを、サポート金具３５に雌ねじ部３５ａを、インサート金具３７に雌ねじ部３７ａをそれぞれ１つずつ設け、１本の雄ねじ部材３９を用いて互いに結合させる場合について述べたが、それぞれ、複数設けて、複数箇所で結合させるようにしても良い。
【産業上の利用可能性】
【００５１】
携帯端末としては、携帯電話機のほか、簡易型携帯電話（ＰＨＳ）端末や、携帯情報端末（ＰＤＡ）、携帯型のコンピュータに対して適用できる。また、電子機器として、携帯端末のほか、無線通信機能を有するコンピュータ等に対して適用できる。
【図面の簡単な説明】
【００５２】
【図１】この発明の第１実施例である携帯電話機のアンテナ取付構造の構成を説明するための断面図である。
【図２】同携帯電話機の構成を模式的に示す斜視図である。
【図３】同携帯電話機の構成を示すブロック図である。
【図４】同携帯電話機のアンテナの構成を説明するための分解斜視図である。
【図５】同アンテナの構成を説明するための断面図である。
【図６】同アンテナのキャップ部の斜視図である。
【図７】同アンテナを構成する交換用のキャップ部の斜視図である。
【図８】同アンテナを構成する交換用のキャップ部の斜視図である。
【図９】この発明の第２実施例である携帯電話機のアンテナ取付構造の構成を説明するための断面図である。
【図１０】従来技術を説明するための説明図である。
【符号の説明】
【００５３】
１      携帯電話機（電子機器）
２      上部ユニット
３      下部ユニット
６      筐体
７      上部筐体
１２      下部筐体
１５      アンテナ
１８      下部基板
２５      下部フロントケース
２６，２６Ａ      下部リアカバー
２６ａ      嵌合孔部（軸部嵌合凹部）
２６ｂ      嵌合孔部（部材嵌合凹部）
２６ｃ      雌ねじ部（筐体側雌ねじ部）
３２      ヘリカルアンテナ素子
３３      コイル部（アンテナ本体部）
３３ａ    凹部（挿通孔）
３４，３４Ａ，３４Ｂ      キャップ部（本体カバー部）
３４ａ      凹部
３４ｂ      突起部
３５      サポート金具（取付軸部）
３５ａ      雌ねじ部（アンテナ側雌ねじ部）
３７      インサート金具（取付補助部材）
３７ａ      雌ねじ部（筐体側雌ねじ部）
３９    雄ねじ部材
３９ａ      頭部
４１，４２      給電金具
【図１】
2006025334.tif 000003
【図２】
2006025334.tif 000004
【図３】
2006025334.tif 000005
【図４】
2006025334.tif 000006
【図５】
2006025334.tif 000007
【図６】
2006025334.tif 000008
【図７】
2006025334.tif 000009
【図８】
2006025334.tif 000010
【図９】
2006025334.tif 000011
【図１０】
2006025334.tif 000012